(57)【要約】【課題】  本発明は電子制御ケースの上面に太陽電池や糸長表示部を備えた魚釣用リールに係り、電子制御ケース上面の限られたスペースの有効活用を図ることで、効率のよい太陽光発電や良好な糸長表示部の視認性の向上を可能とした魚釣用リールを提供することを目的とする。【解決手段】  請求項１に係る発明は、スプールを回転自在に支持するリール本体の上部前方側に電子制御ケースを備えた魚釣用リールに於て、前記電子制御ケースの上面に、太陽電池と、仕掛けの水深を表示する糸長表示部を配設すると共に、前記糸長表示部の側部領域に、操作スイッチを配設したことを特徴とする。そして、請求項２に係る発明は、請求項１に記載の魚釣用リールに於て、前記電子制御ケースの上面の前部領域に太陽電池を配設し、電子制御ケースの上面の後部領域に糸長表示部を配設したことを特徴とする。【選択図】    図１
2011004680.tif 000002
【特許請求の範囲】
【請求項１】
スプールを回転自在に支持するリール本体の上部前方側に電子制御ケースを備えた魚釣用リールに於て、
前記電子制御ケースの上面に、太陽電池と、仕掛けの水深を表示する糸長表示部を配設すると共に、
前記糸長表示部の側部領域に、操作スイッチを配設したことを特徴とする魚釣用リール。
【請求項２】
前記電子制御ケースの上面の前部領域に太陽電池を配設し、電子制御ケースの上面の後部領域に糸長表示部を配設したことを特徴とする請求項１に記載の魚釣用リール。
【請求項３】
スプールを回転自在に支持するリール本体の上部前方側に電子制御ケースを備えた魚釣用リールに於て、
前記電子制御ケースを、リール本体上部より上方へ突出した周壁を有する略ボックス状に形成すると共に、前記電子制御ケースの上面に、太陽電池と、仕掛けの水深を表示する糸長表示部と、操作スイッチを配設したことを特徴とする魚釣用リール。
【請求項４】
前記電子制御ケースと、リール本体の反ハンドル側側板の上部との間に、段部からなる指置きを可能とする指載置部を設けると共に、電子制御ケースを、後方から前方に向けて幅狭となる平面視先細形状としたことを特徴とする請求項３に記載の魚釣用リール。
【発明の詳細な説明】
【技術分野】
【０００１】
本発明は、スプールを回転自在に支持するリール本体の上部に、糸長表示部を有する電子制御ケースを備えた魚釣用リールに関する。
【背景技術】
【０００２】
従来、両軸リールに於て、液晶ディスプレイからなる糸長表示部や操作スイッチを有する電子制御ケースを、リール本体の上部前方側に備えたものが広く知られている。
【０００３】
そして、電子制御ケース内には、スプールからの釣糸の繰出し量や巻取り量を計測して、その計測値を前記糸長表示部に表示させるマイクロコンピュータからなる制御部が装着されており、斯かる制御部や前記糸長表示部の内部電源として、一般的に乾電池やボタン電池等の一次電池が用いられている。
【０００４】
ところで、このような一次電池を制御部や前記糸長表示部の内部電源に用いた場合、電池の消耗により糸長表示部の表示が薄くなって見難くなってしまう不具合がある。
【０００５】
そこで、斯かる不具合を解消するため、特許文献１には、図８に示すように太陽光や照明光によって発電可能な太陽電池１を電子制御ケース３の操作パネル５上に装着して、該太陽電池１を糸長表示部１７の補助電源とした魚釣用リール７が知られている。
【０００６】
そして、図９に示すように魚釣用リール７は、操作パネル５上のハンドル側に、複数の操作スイッチ９，１１，１３からなるスイッチ群１５を電子制御ケース３の前後方向に亘って配設し、該スイッチ群１５の反ハンドル側に糸長表示部１７を配置して、糸長表示部１７の前部領域に太陽電池１を配置した構成となっている。
【先行技術文献】
【特許文献】
【０００７】
【特許文献１】特開２０００−１６６４３４号公報
【発明の概要】
【発明が解決しようとする課題】
【０００８】
しかし、前記魚釣用リール７は、スイッチ群１５が操作パネル５のハンドル側を広く前後方向に亘って占有した構造上、糸長表示部１７や太陽電池１が電子制御ケース３の反ハンドル側に配置されることになって、スペース的にこれらの配置エリアに制約が生じて小型化してしまい、効率のよい太陽光発電や良好な糸長表示部１７の視認性が得られ難い欠点がある。
【０００９】
また、電子制御ケース３は、操作パネル５がリール本体１９の左右の側板２１，２３の上部と段差のない接合状態で一体化された構成のため、実釣時に於ける咄嗟の操作時に、魚釣用リール７を握持保持する手の指が滑って、太陽電池１や糸長表示部１７を保護する透明カバーに誤って触れてしまうことがある。
【００１０】
そして、実釣時に手の指には魚のヌメリや異物が付着しているため、このように指が透明カバーに触れてしまうと、透明カバーが汚れて発電効率が低下したり糸長表示部１の視認性を低下させてしまう等の不具合が指摘されている。
【００１１】
本発明は斯かる実情に鑑み案出されたもので、電子制御ケースの上面に太陽電池や糸長表示部を備えたこの種の魚釣用リールに改良を加え、電子制御ケース上面の限られたスペースの有効活用を図ることで、効率のよい太陽光発電や良好な糸長表示部の視認性の向上を可能とした魚釣用リールを提供することを目的とする。
【課題を解決するための手段】
【００１２】
斯かる目的を達成するため、請求項１に係る発明は、スプールを回転自在に支持するリール本体の上部前方側に電子制御ケースを備えた魚釣用リールに於て、前記電子制御ケースの上面に、太陽電池と、仕掛けの水深を表示する糸長表示部を配設すると共に、前記糸長表示部の側部領域に、操作スイッチを配設したことを特徴とする。
【００１３】
そして、請求項２に係る発明は、請求項１に記載の魚釣用リールに於て、前記電子制御ケースの上面の前部領域に太陽電池を配設し、電子制御ケースの上面の後部領域に糸長表示部を配設したことを特徴とする。
【００１４】
また、請求項３に係る発明は、スプールを回転自在に支持するリール本体の上部前方側に電子制御ケースを備えた魚釣用リールに於て、前記電子制御ケースを、リール本体上部より上方へ突出した周壁を有する略ボックス状に形成すると共に、前記電子制御ケースの上面に、太陽電池と、仕掛けの水深を表示する糸長表示部と、操作スイッチを配設したことを特徴とする。
【００１５】
そして、請求項４に係る発明は、請求項３に記載の魚釣用リールに於て、前記電子制御ケースと、リール本体の反ハンドル側側板の上部との間に、段部からなる指置きを可能とする指載置部を設けると共に、電子制御ケースを、後方から前方に向けて幅狭となる平面視先細形状としたことを特徴とする。
【発明の効果】
【００１６】
請求項１に係る発明によれば、電子制御ケース上の限られたスペースを有効活用する太陽電池，糸長表示部，操作スイッチの合理的な配置構成により、効率のよい太陽光発電や良好な糸長表示部の視認性の向上が図れる。
【００１７】
そして、請求項２に係る発明によれば、実釣時に必要な情報を表示する糸長表示部が電子制御ケースの手前側（後部領域）に配設されているため、情報の視認性に優れる利点を有する。
【００１８】
また、請求項３に係る発明によれば、実釣時の咄嗟の操作時に於ても、魚釣用リールを握持保持する手の指が滑って太陽電池や糸長表示部を保護する透明カバーに誤って触れてしまうことが極力防止できるため、発電効率や糸長表示部の視認性を低下させることがない。
【００１９】
更に、請求項４に係る発明によれば、指載置部に載置する指の側部や腹部で無理なく確実に魚釣用リールを保持でき、また、電子制御ケースをリール本体の後方から前方に向けて平面視先細形状に形成さすることで、魚釣用リールを手で握持保持する際に指の向きが自然で無理なく確実に保持できると共に、平面視先細形状に形成することでリール全体のコンパクト，シャープ感が得られる利点を有する。
【図面の簡単な説明】
【００２０】
【図１】請求項１乃至請求項４の第一実施形態に係る魚釣用リールの平面図である。
【図２】魚釣用リールの斜視図である。
【図３】魚釣用リールの側面図である。
【図４】図３のIV−IV線断面図である。
【図５】電子制御ケースの平面図である。
【図６】請求項１乃至請求項４の第二実施形態に係る魚釣用リールの電子制御ケースの平面図である。
【図７】請求項１，請求項３及び請求項４の一実施形態に係る魚釣用リールの電子制御ケースの平面図である。
【図８】従来の魚釣用リールの斜視図である。
【図９】従来の魚釣用リールの平面図である。
【発明を実施するための形態】
【００２１】
以下、本発明の実施形態を図面に基づいて詳細に説明する。
【００２２】
図１は請求項１乃至請求項４に係る魚釣用リールの第一実施形態を示し、図に於て、３１はフレーム、３３，３５は該フレーム３１の左右に取り付く側板で、フレーム３１と両側板３３，３５によって魚釣用リール３７のリール本体３９が構成されている。そして、リール本体３９に周知の図示しない軸受を介してスプール軸が支持され、該スプール軸にスプール４１が回転可能に支持されている。
【００２３】
スプール４１は、ハンドル４３の巻取り操作で側板３５に内蔵された巻取り駆動機構により回転して釣糸が巻回されるようになっている。
【００２４】
また、側板３３，３５間の後方には、側板３５内に装着された周知のクラッチ機構を操作するクラッチレバー４５が下方へ押圧操作可能に取り付けられており、該クラッチレバー４５の押圧操作で、クラッチ機構がクラッチＯＮ状態からクラッチＯＦＦ状態に切り換わるようになっている。そして、このクラッチＯＦＦ状態でハンドル４３を巻取り方向へ回転させると、周知の復帰機構を介してクラッチ機構がクラッチＯＮ状態に復帰するように構成されており、このクラッチ機構のクラッチＯＮ／ＯＦＦの切換えでスプール４１が巻取り可能状態とスプールフリー状態とに切り換わって、スプール４１へのハンドル４３の動力が伝達／遮断されるようになっている。
【００２５】
更に、図示しないが、周知のようにフレーム３１の反ハンドル側に一対のホール素子やリードスイッチからなる磁気センサが装着されると共に、これに対向してスプール４１または連動歯車の一端側にマグネットが固着されており、この磁気センサとマグネットによってスプール４１の回転数とその回転方向を検出する回転検出手段が構成されている。
【００２６】
そして、磁気センサは、リール本体３９の上部前方側に装着された電子制御ケース４７内のマイクロコンピュータに接続されており、マイクロコンピュータのＣＰＵは、磁気センサから出力される回転パルス信号を取り込むことで、内蔵のアップ・ダウンカウンタをアップカウントまたはダウンカウント状態にセットして、取り込まれるスプール４１の回転パルス信号をカウントする。マイクロコンピュータのＲＯＭ（記憶手段）には、特開平５−１０３５６７号公報で開示された糸長計測装置と同様の糸長計測プログラムが組み込まれており、ＣＰＵは、スプール４１の回転パルス信号の計数値を基に釣糸の糸長を演算，計測して、糸長を電子制御ケース４７上の操作パネル４９に設けた糸長表示部５１に表示させるようになっている。
【００２７】
而して、図１乃至図４に示すように電子制御ケース４７は、リール本体３９上部より上方へ突出した周壁５３を有し、且つリール本体３９の後方から前方に向けて「ハの字」状に幅狭となる平面視先細形状のボックス状に形成されている。そして、反ハンドル側の側板３３の上部との間に、魚釣用リール３７を握持する手の親指５５が載置可能な段部からなる指載置部５７が設けられている。
【００２８】
尚、図１に示すようにハンドル側の側板３５の上部と電子制御ケース４７との間にも、親指が載置可能な段部からなる指載置部５８が設けられている。
【００２９】
また、図１及び図５に示すように、電子制御ケース４７上の操作パネル４９内の限られたスペースの後部領域に前記糸長表示部５１が配設されると共に、該糸長表示部５１のハンドル４３側の側部領域Ｌ１に、電源のＯＮ／ＯＦＦ及び糸長表示部５１の表示のリセットスイッチを兼ねた周知のＯＮ／ＯＦＦスイッチ５９と、棚取りに使用する周知の棚メモスイッチ６１が上下に配設されている。
【００３０】
そして、図５に示すように前記糸長表示部５１と両スイッチ５９，６１の上方、即ち、操作パネル４９の前部領域全体の広い領域に亘って太陽電池６３が横方向に配設されており、図示しないが太陽電池６３や糸長表示部５１の上面は、操作パネル４９に装着される透明カバーで保護されている。
【００３１】
本実施形態では、一例として太陽電池６３をリール本体３９の側板３３や電子制御ケース４７内に装着した図示しない一次電池（ボタン電池）の補完用として糸長表示部５１の表示のみに使用するようになっており、天気がよく、太陽電池６３の発電による電圧が一次電池の電圧より高くなった場合、糸長表示部５１の太陽電池マーク（図５中、符号６５）が点灯して、太陽電池６３による電力で糸長表示部５１の各表示（図５中、太陽電池マーク６５，上カラ表示部６７，棚カラ表示部６９，コマセタイマー７１等）が行われるようになっている。
【００３２】
そして、使用条件や使用頻度、或いは天気が悪くて照光不足により、太陽電池６３の発電で、内部の制御系に設けられているコンデンサに充電されて蓄えられた電圧が一次電池の電圧より低くなった場合、太陽電池マーク６５が消灯して、一次電池の電力で糸長表示部５１の各表示が行われるようになっている。
【００３３】
尚、太陽電池６３の使用例は前記一例に限定されず、一次電池に代えて魚釣用リール内に二次電池を装着し、太陽電池で二次電池を充電可能としてもよいし、既述した特許文献１の従来例の如く、電源スイッチＯＦＦ時の監視，待機に於ける電源制御回路への電力供給を太陽電池で行い、一次電池の電力消耗を抑えるようにしてもよい。
【００３４】
本実施形態に係る魚釣用リール３７はこのように構成されているから、クラッチレバー４５の切換え操作でクラッチ機構がクラッチＯＮ状態からクラッチＯＦＦ状態へ切り換わり、クラッチＯＦＦ状態でハンドル４３を巻取り方向へ回転させるとクラッチ機構がクラッチＯＮ状態に復帰する。
【００３５】
そして、ＯＮ／ＯＦＦスイッチ５９を押圧操作し、クラッチＯＦＦ状態でスプール４１から釣糸を繰り出し、また、クラッチＯＮ状態でハンドル４３の操作でスプール４１を巻取り駆動すると、マイクロコンピュータのＣＰＵは、磁気センサから出力されるスプール４１の回転に伴う回転パルス信号を基に糸長を演算，計測して糸長表示部５１（上カラ表示部６７）に表示させるが、天気がよく、太陽電池６３の発電による電圧が一次電池の電圧より高い場合、太陽電池マーク６５が点灯して太陽電池６３による電力で糸長表示部５１の各表示が行われる。
【００３６】
また、既述したように使用条件や使用頻度、或いは天気が悪くて照光不足により、太陽電池６３の発電で、内部の制御系に設けられているコンデンサに充電されて蓄えられた電圧が一次電池の電圧より低くなると、太陽電池マーク６５が消灯して一次電池の電力で糸長表示部５１の表示が行われるが、既述したように本実施形態は、操作パネル４９内の後部領域に糸長表示部５１を配設して、そのハンドル４３側の側部領域Ｌ１にＯＮ／ＯＦＦスイッチ５９と棚メモスイッチ６１を上下に配設し、操作パネル４９の前部領域全体の広い領域に亘って太陽電池６３を横方向に配設した合理的な配置構成により、効率のよい太陽光発電が行われると共に、糸長表示部５１の良好な視認性が確保されることとなる。
【００３７】
更に、実釣時に於て、例えば船縁に固定した釣竿保持装置に釣竿を保持させた監視，待機時を除き、釣人は魚とのやりとりで魚釣用リール３７の反ハンドル側を握持保持し、また、時には両手で魚釣用リール３７の反ハンドル側とハンドル側を握持保持するが、図１及び図４に示すように電子制御ケース４７は、リール本体３９上部より上方へ突出した周壁５３を有するボックス状に形成されて、反ハンドル側の側板３３及びハンドル側の側板３５の上部との間に指載置部５７，５８が形成されているため、親指５５を指載置部５７に載置して親指５５の側部や腹部で無理なく確実に魚釣用リール３７を握持保持できる。そして、電子制御ケース４７は上方へ突出した周壁５３を有するボックス状に形成されているため、咄嗟の操作時に魚釣用リール３７を握持保持する手の親指５５が滑って太陽電池６３や糸長表示部５１を保護する透明カバーに誤って触れてしまうことが極力防止される。
【００３８】
而も、電子制御ケース４７は、リール本体３９の後方から前方に向けて「ハの字」状に幅狭となる平面視先細形状に形成されているため、魚釣用リール３７の反ハンドル側を握持保持し、また、時に両手で魚釣用リール３７の反ハンドル側とハンドル側を握持保持する際に、指載置部５７，５８に載置する親指５５のハの字状となる向きに沿って自然であると共に、後方から前方に向けて平面視先細形状に形成することでリール全体のコンパクト，シャープ感を釣人に与えることとなる。
【００３９】
このように本実施形態によれば、
(1)電子制御ケース４７上の操作パネル４９内の限られたスペースを有効活用する太陽電池６３，糸長表示部５１，ＯＮ／ＯＦＦスイッチ５９と棚メモスイッチ６１の合理的な配置構成により、効率のよい太陽光発電や良好な糸長表示部５１の視認性の向上が図れる。
【００４０】
而も、実釣時に必要な情報を表示する糸長表示部５１が操作パネル４９の手前側（後部領域）に配設されているため、情報の視認性に優れている。
【００４１】
(2)実釣時の咄嗟の操作時に於ても、魚釣用リール３７を握持保持する手の親指５５が滑って太陽電池６３や糸長表示部５１を保護する透明カバーに誤って触れてしまうことが極力防止できるため、発電効率や糸長表示部５１の視認性を低下させることがない。
【００４２】
(3)前記指載置部５７が形成されているため、指載置部５７，５８に載置する親指５５の側部や腹部で無理なく確実に魚釣用リール３７を保持できる。
【００４３】
(4)電子制御ケース４７がリール本体３９の後方から前方に向けて「ハの字」状に幅狭となる平面視先細形状に形成されているため、魚釣用リール３７の反ハンドル側を握持保持し、また、時に両手で魚釣用リール３７の反ハンドル側とハンドル側を握持保持する際に、指載置部５７，５８に載置する親指５５のハの字状となる向きに沿って自然で無理なく確実に保持できると共に、平面視先細形状に形成することでリール全体のコンパクト，シャープ感が得られる等、多くの優れた利点を有する。
【００４４】
尚、図５に示すように前記実施形態は、操作パネル４９の後部領域に配設した糸長表示部５１のハンドル４３側の側部領域Ｌ１にＯＮ／ＯＦＦスイッチ５９と棚メモスイッチ６１を上下に配設したが、図６に示す請求項１乃至請求項４に係る発明の第二実施形態の如く、糸長表示部５１の反ハンドル側の側部領域Ｌ２にＯＮ／ＯＦＦスイッチ５９と棚メモスイッチ６１を上下に配設してもよい。
【００４５】
また、図７は請求項１，請求項３及び請求項４の一実施形態を示し、本実施形態は、操作パネル４９の後部領域に太陽電池６３を横方向に配設し、操作パネル４９の前部領域に糸長表示部５１を配設すると共に、該糸長表示部５１のハンドル４３側の側部領域Ｌ１にＯＮ／ＯＦＦスイッチ５９と棚メモスイッチ６１を上下に配設して、操作パネル４９内の限られたスペースを有効活用したもので、これらの実施形態によっても、図１の実施形態と同様、所期の目的を達成することが可能で、効率のよい太陽光発電や良好な糸長表示部５１の視認性の向上が図れる。
【符号の説明】
【００４６】
３１  フレーム
３３，３５  側板
３７  魚釣用リール
３９  リール本体
４１  スプール
４３  ハンドル
４５  クラッチレバー
４７  電子制御ケース
４９  操作パネル
５１  糸長表示部
５３  周壁
５５  親指
５７  指載置部
５９  ＯＮ／ＯＦＦスイッチ
６１  棚メモスイッチ
６３  太陽電池
【図１】
2011004680.tif 000003
【図２】
2011004680.tif 000004
【図３】
2011004680.tif 000005
【図４】
2011004680.tif 000006
【図５】
2011004680.tif 000007
【図６】
2011004680.tif 000008
【図７】
2011004680.tif 000009
【図８】
2011004680.tif 000010
【図９】
2011004680.tif 000011